(57)【要約】【課題】併設する厨房家具の機能向上を図るとともに、施工性の向上と設備の増設や更新の自由度を向上し、使い勝手のよいキッチンを提供することを目的とする。【解決手段】厨房家具９の背面に設置し、内部に給排水管等の配管が可能な空間を有し、上面が厨房家具９のワークトップ１１の上面より高い低丈部１７と、上面が略天井高さの高丈部１８を一体あるいは別部材で構成し、前記低丈部１７の上面には平板状のカウンター２０を設置し、前記高丈部１８の前面の少なくとも前記ワークトップ１１の上面以上の部分を耐熱材料で仕上げたスペーサーユニット。【選択図】  図１
2005000190.tif 000002
【特許請求の範囲】
【請求項１】
厨房家具の背面に設置し、内部に給排水管等の配管が可能な空間を有し、上面が厨房家具のワークトップの上面より高い低丈部と、上面が略天井高さの高丈部を一体あるいは別部材で構成し、前記低丈部の上面には平板状のカウンターを設置し、前記高丈部の前面の少なくとも前記ワークトップの上面以上の部分を耐熱材料で仕上げたスペーサーユニット。
【請求項２】
前記高丈部の幅が前記厨房家具のレンジフードの幅と等しい寸法の請求項１に記載のスペーサーユニット。
【請求項３】
前記低丈部および高丈部の内部に厨房家具に接続する給湯管、給水管、排水管、ガス管、電源配線のうち少なくとも１個以上を備えた請求項１、２に記載のスペーサーユニット。
【請求項４】
前記低丈部の内部に補助給湯管、補助給水管、補助排水管、補助電源配線のうち少なくとも１個以上を備えた請求項３に記載のスペーサーユニット。
【請求項５】
補助給湯管、補助給水管、補助排水管の端部は着脱可能な終端栓で密封し、電源電線の端部にコンセントを接続した請求項４に記載のスペーサーユニット。
【請求項６】
前記カウンターは奥行き寸法の大きい大幅部と、奥行き寸法の小さい小幅部が一体あるいは別部材で構成される請求項１〜５に記載のスペーサーユニット。
【請求項７】
前記カウンターに厨房用水回り機器の給湯給水ホース、排水ホース、電源コード等が貫通できる配管開口を設けた請求項１〜６に記載のスペーサーユニット。
【請求項８】
前記カウンターの配管開口を隠蔽する開口蓋を備えた請求項７に記載のスペーサーユニット。
【請求項９】
前記低丈部および高丈部の背面の全域あるいは一部を化粧仕上げした請求項１〜８に記載のスペーサーユニット。
【発明の詳細な説明】
【０００１】
【発明の属する技術分野】
本発明は厨房家具の機能向上を図る補助ユニットに関するものである。
【０００２】
【従来の技術】
従来、この種スペーサーユニットは、カウンターの下部に主として各種の収納機能を配設し、併設する厨房家具の収納機能等を補完強化するものがある（例えば、特許文献１参照）。
【０００３】
図５は、前記公報に記載された従来のスペーサーユニットを示すものである。図５において、１はスペーサーユニット本体でその上部には平板状のカウンター２を備え、前記カウンター２の下部には各種調味料等を収納する小物収納手段３、調理作業中の手元を照らす照明手段４、食器などの水切りに使用する水切り手段５が配設してあり、スペーサーユニット１の前面に当接して流し台６が設置される。
【０００４】
【特許文献１】
特開平１０−１１７８６６号公報
【０００５】
【発明が解決しようとする課題】
しかしながら、前記従来の構成では、主としてカウンターの下部を収納スペース等に活用するのみで、カウンター上面部は補助的な物置スペースとして活用できる程度であるため、カウンター上面部を機能的に活用することができない。また新たな機能を追加し機能の向上を図ることがでず、また施工上のメリットも少ないという課題を有していた。
【０００６】
本発明は、前記従来の課題を解決するもので、併設する厨房家具の機能の向上を図るとともに、施工性の向上と設備の増設や更新の自由度を向上し、使い勝手のよいキッチンを提供することを目的とする。
【０００７】
【課題を解決するための手段】
前記従来の課題を解決するために、本発明のスペーサーユニットは、厨房家具の背面に設置し、内部に給排水管等の配管が可能な空間を有し、上面が厨房家具のワークトップの上面より高い低丈部と、上面が略天井高さの高丈部を一体あるいは別部材で構成し、前記低丈部の上面には平板状のカウンターを設置し、前記高丈部の前面の少なくとも前記ワークトップの上面以上の部分を耐熱材料で仕上げたものである。
【０００８】
これによって、厨房家具に接続して使用する給排水管の配管および電源配線を内部に配設し、高丈部の不燃材料で仕上げた前面には換気用のレンジフードを設置し、低丈部上面のカウンターにはキッチンで使用する各種機器類を配置することができる。
【０００９】
【発明の実施の形態】
請求項１に記載の発明は厨房家具の背面に設置し、内部に給排水管等の配管が可能な空間を有し、上面が厨房家具のワークトップの上面より高い低丈部と、上面が略天井高さの高丈部を一体あるいは別部材で構成し、前記低丈部の上面には平板状のカウンターを設置し、前記高丈部の前面の少なくとも前記ワークトップの上面以上の部分を耐熱材料で仕上げたスペーサーユニットとすることにより、厨房家具に接続して使用する給排水管の配管および電源配線を内部に配設し、高丈部の不燃材料で仕上げた前面には換気用のレンジフードを設置し、低丈部上面のカウンターにはキッチンで使用する各種機器類を配置することができる。
【００１０】
また、スペーサーユニットの内部に配管、配線ができるため、建物の壁中や床下に配管や配線をする必要がなく、厨房家具の施工が簡単で設備の増設や更新も容易に行うことができる。
【００１１】
また、高丈部前面は耐熱材料で仕上げてあるため加熱機器の背面においても安全に使用することができ、また従来適切な置き場所がなかったキッチンで使用する各種機器類を低丈部のカウンター上に載置することができ使い勝手の良いキッチンを提供することができる。
【００１２】
請求項２に記載の発明は前記高丈部の幅が前記厨房家具のレンジフードの幅と等しい寸法のスペーサーユニットとすることにより、加熱機器近傍の背面は耐熱材料で仕上げができるため安全性が確保できる。また、前記厨房家具の吊戸棚は流し台やフードよりスペーサーユニットの奥行分だけ奥まった位置に設置されるため、調理作業中頭が当ったり、邪魔になることが少なく、また従来より低い位置まで設置することが可能になるため、厨房家具の使い勝手を向上することができる。
【００１３】
請求項３に記載の発明は前記低丈部および高丈部の内部に厨房家具に接続する給水管、排水管、ガス管、電源配線のうち少なくとも１個以上を備えたスペーサーユニットとすることにより、配管、配線は厨房家具に必要な容量のものが適切な位置に配設されることとなり、厨房家具の配管、配線工事を短時間で容易に行うことができる。
【００１４】
請求項４に記載の発明は前記低丈部の内部に補助給水管、補助排水管、補助電源配線のうち少なくとも１個以上を備えたスペーサーユニットとすることにより、食器洗い乾燥機やアルカリ整水器等の水回り機器を補助給水管、補助排水管、補助電源配線に接続することができ、従来、配管、配線工事がともなうため設置や増設が難しかったこれらの水回り機器を容易に設置することができる。
【００１５】
請求項５に記載の発明は補助給水管、補助排水管の端部は着脱可能な終端栓で密封し、電源電線の端部にコンセントを接続したスペーサーユニットとすることにより、食器洗い機やアルカリ整水器等の水回り機器を増設する場合、終端栓を取り外して接続することができるので、水回り機器を後から増設することが容易にできる。
【００１６】
請求項６に記載の発明は前記カウンターが奥行き寸法の大きい大幅部と、奥行き寸法の小さい小幅部が一体あるいは別部材で構成されるスペーサーユニットとすることにより、大幅部には大型の機器を載置し、小幅部には小型の機器を載置することが可能となり、従来、厨房家具の作業スペースを大幅に占有するためにワークトップ上には載置できなかった大型の機器も載置することができる。
【００１７】
請求項７に記載の発明は前記カウンターに厨房用水回り機器の給湯給水ホース、排水ホース、電源コード等が貫通できる配管開口を設けたスペーサーユニットとすることにより、予め開けてある配管開口を貫通してホースや電線を接続するとができるので、穴開け作業が不要で施工を簡単にすることができる。
【００１８】
請求項８に記載の発明は前記カウンターの開口を隠蔽する開口蓋を備えたスペーサーユニットとすることにより、水回り機器を設置しない場合は、開口蓋で開口を隠蔽、水回り機器を増設する場合は開口蓋を取り外して配管、配線をおこなうことができるので、水回り機器の増設を容易に行うことができる。
【００１９】
請求項９に記載の発明は前記低丈部および高丈部の背面の全域あるいは一部を化粧仕上げしたことにより、スペーサーユニットを対面キッチンの腰壁あるいは仕切り壁として使用することが可能なため、対面キッチンを簡単に低コストで作ることができる。
【００２０】
【実施例】
以下本発明の実施例について、図面を参照しながら説明する。
【００２１】
（実施例１）
図１は、本発明の第１の実施例におけるスペーサーユニットを厨房家具とレンジフードと食器洗い乾燥機とをセットしてキッチンに設置した状態を示すものである。
【００２２】
図１において、キッチンの壁面７の所定位置にはスペーサーユニット８が固設されており、その前面下部には厨房家具９が当接して設置され、前面上部にはレンジフード１０が固設されている。
【００２３】
厨房家具９の上面に配設されたワークトップ１１は、後部にバックガード１２が一体に形成されており、上面にはシンク１３とコンロ１４と水栓１５が組み込まれており、スペーサーユニット８の上部には食器洗い乾燥機１６が設置されている。
【００２４】
図２は本実施例のスペーサーユニットの全体構成を示すものであり、スペーサーユニット８は低丈部１７と高丈部１８とから構成されておいる。低丈部１７の高さは前記バックガード１２上端より高く、通常の調理作業は勿論、水回り機器や調理機器を載置して使用することが可能な高さであり、高丈部１８の高さはキッチンの天井までの高さに等しい。
【００２５】
図２に示すように、縦横の枠材で構成された枠本体１９の低丈部１７の上面には木あるいは樹脂等の剛性を有する材料からなるカウンター２０が固設されており、前記カウンター２０は２つの奥行きの大幅部２１と小幅部２２が一体に形成されており、大幅部２１はワークトップ１１上に突設した状態で配置されており、大幅部２１の後部には配管用の配管開口２３が設けられており、配管開口２３は開口蓋２４で閉塞されている。
【００２６】
低丈部１７の前面上部には、表面が化粧処理された耐水性の無機材料からなる耐水板２５が設置されている。
【００２７】
また、高丈部１８前面のワークトップ１１より高い部分には、表面が化粧処理された耐熱性のある無機材料からなる耐熱板２６が設置されている。
【００２８】
枠本体１９内部には、排水管２７と排水管２７から分岐した補助排水管２８と、給水管２９と、給湯管３０と給湯管３０から分岐した補助給湯管３１と、ガス管３２と、補助電源配線３３が配設されており、前記補助排水管２８、補助給湯管３１の終端部は終端栓３４で密封されており、補助電源配線３３の終端部にはコンセント３５が接続されている。
【００２９】
図１に示すように厨房家具９を設置した後、シンクの排水ホース（図示せず）は排水管２７に接続され、コンロ１４はガス管３２に接続され、水栓１５は給水管２９と給湯管３０に接続される。
【００３０】
図３は食器洗い乾燥機１６を設置した部分の詳細を示しており、カウンター２０の大幅部２１に設置した食器洗い機乾燥機１６の排水ホース３６、給湯給水ホース３７、電源コード３８は配管蓋２４を取り外した配管開口２３から枠本体１９内部に引き込み、前記終端栓３４を取り外した補助排水管２８と補助給湯管３１とコンセント３５にそれぞれ接続されている。
【００３１】
以上のように構成されたスペーサーユニットについて、以下その動作、作用を説明する。
【００３２】
上記構成で明らかなように厨房家具９や食器洗い乾燥機１６に必要な給排水、電源等の配管、配線は全てスペーサーユニット８の最適な位置に配置されており、容易に接続工事をすることができる。また食器洗い乾燥機１６を設置しない場合は、補助排水管２８と補助給湯管３１の終端栓３４を取り付けた状態で、カウンター２０の開口蓋２４を取り付けることにより作業スペースとして活用することができ、設置後に食器洗い乾燥機１６が必要になった場合に容易に増設することが可能である。
【００３３】
以上のように本実施例においては、低丈部１７と高丈部１８からなるスペーサーユニット８の枠本体１９内部に給排水管や電気配線を配設することにより、建物の壁中や床下への配管や配線不要となるため厨房家具９の配置や食器洗い乾燥機機１９の配置の自由度が向上するとともに、厨房家具９や食器洗い乾燥機１６への配管、配線を最適位置に配置できるため接続工事を容易に行うことができ、設置後の食器洗い乾燥機１６の増設も容易に行うことができる。
【００３４】
また、スペーサーユニット８の前面は耐水板２５と耐熱板２６で仕上げてあるため、耐久性に加えコンロ１４背面の安全も確保できる。
【００３５】
また、食器洗い乾燥機１６が使い勝手の良いアイレベルに配置できるだけでなく、調理作業に必要なワークトップのスペースを占有しないため、調理作業を阻害することもなく、キッチン全体として使い勝手の向上が図ることができ、施工面、使用面、両面にわたっての効果を奏するものである。
【００３６】
また、本実施例ではカウンター２０には食器洗い乾燥機１６を設置したが、それに限るものではなく、アルカリ整水器や電子レンジ等の水回り機器や調理機器を設置しても便利に使用することができる。
【００３７】
また、本実施例では耐水板２５として無機材料の化粧板を使用したが、耐水性能を備えた有機材料やステンレス等の金属でも使用可能であり、同様に本実施例では耐熱板２６として無機材料の化粧板を使用したが、耐熱性能を備えた有機材料やステンレス等の金属でも使用可能である。
【００３８】
（実施例２）
図４は、本発明の第２の実施例のスペーサーユニットを示す側面図である。
【００３９】
本実施例においてはスペーサーユニット８はキッチン空間の中間部に床面と天井に支持されて設置されており、スペーサーユニット８の背面３６は全面を化粧仕上げしたものであり、背面側には食卓３７や椅子３８を配置した食堂スペースを構成している。
【００４０】
なお、実施例１と同一符号のものは同一構造を有し説明は省略する。
【００４１】
以上のように構成されたスペーサーユニット８は、背面３９が化粧仕上げしてあるため、高丈部１８は間仕切り壁として、低丈部１７は腰壁としてキッチン空間をセミオープンに区画するとともに、厨房家具９を食堂側に対向して設置できるため、間仕切り壁や腰壁を設置することなく対面キッチンを実現することが可能となる。
【００４２】
【発明の効果】
以上のように、請求項１から９のいずれか一項記載の発明によれば、内部に配管、配線ができ、壁中や床下に配管や配線をする必要がないため、施工が簡単で増設や更新も容易に行うことができる。また高丈部前面は耐熱材料で仕上げてあるため加熱機器の背面においても安全に使用することができる。また従来適切な置き場所がなかったキッチンで使用する各種機器類を低丈部のカウンター上に載置することができ使い勝手の良いキッチンを提供することができる。
【図面の簡単な説明】
【図１】本発明の実施例１における設置状態を示す斜視図
【図２】本発明の実施例１の外観を示す斜視図
【図３】本発明の実施例１の要部詳細を示す正面図
【図４】本発明の実施例２における設置状態を示す側面図
【図５】従来のスペーサーユニットを示す斜視図
【符号の説明】
９  厨房家具
１０  レンジフード
１１  ワークトップ
１７  低丈部
１８  高丈部
２０  カウンター
２１  大幅部
２２  小幅部
２３  配管開口
２４  開口蓋
２７  排水管
２８  補助排水管
２９  給水管
３０  給湯管
３１  補助給湯管
３２  ガス管
３３  補助電源配線
３４  終端栓
３５  コンセント
３６  排水ホース
３７  給湯給水ホース
３８  電源コード
３９  背面
【図１】
2005000190.tif 000003
【図２】
2005000190.tif 000004
【図３】
2005000190.tif 000005
【図４】
2005000190.tif 000006
【図５】
2005000190.tif 000007